(57)【要約】【課題】２重発呼のうちの先発呼を一律に解放するのではなく、保留中の呼については切断しない制御を実現する。【解決手段】第１呼による通信中の移動通信端末装置１から保留要求信号を受信した場合に、呼が保留中の状態であることを示す保留中情報を保持する（図１中のステップＳ１０１、Ｓ１０２）。移動通信端末装置１から第２呼の発信があった際、上記保留中情報が保持されている場合には、先発呼の解放を抑止する（図１中のステップＳ１０４、Ｓ１０５）。このように制御すれば、２重発呼のうちの先発呼を一律に解放するのではなく、第１呼が保留中である、切断すべきではない呼については切断しないような制御を実現できる。【選択図】      図１
2008092115.tif 000002
【特許請求の範囲】
【請求項１】
第１呼の発信後に第２呼の発信があった場合に、先発呼の解放を制御するセッション管理システムに用いるセッション管理サーバ装置であって、前記第１呼による通信中の端末装置から保留要求信号を受信した場合に、呼が保留中の状態であることを示す保留中情報を保持する呼状態保持手段と、前記端末装置から第２呼の発信があった際、前記呼状態保持手段に前記保留中情報が保持されている場合には、前記先発呼の解放を抑止する解放抑止手段とを含むことを特徴とするセッション管理サーバ装置。
【請求項２】
第１呼の発信後に第２呼の発信があった場合に、先発呼の解放を制御するセッション管理方法であって、前記第１呼による通信中の端末装置から保留要求信号を受信した場合に、呼が保留中の状態であることを示す保留中情報を保持する呼状態保持ステップと、前記端末装置から第２呼の発信があった際、前記呼状態保持手ステップにおいて前記保留中情報が保持されている場合には、前記先発呼の解放を抑止する解放抑止ステップとを含むことを特徴とするセッション管理方法。
【発明の詳細な説明】
【技術分野】
【０００１】
本発明はセッション管理サーバ装置、セッション管理方法に関し、特に２重発呼を防止するためのセッション管理サーバ装置、セッション管理方法に関する。
【背景技術】
【０００２】
一般に、複数呼を発信できる移動通信端末装置がある。例えば、周知のＩＭＴ（International Mobile Telecommunication）−２０００に準拠した移動通信方式であるＦＯＭＡ（登録商標）網による通信機能を有する端末装置である。
このような移動通信端末装置において、ユーザが呼を発信した後、新たに別の呼を発信すると、２重呼になってしまう。例えば、通話保留中の移動通信端末装置が新たに発呼操作すると、２重呼になってしまう。この場合、保留中の先発の呼が浮いてしまう状態になる。したがって、このような場合には、先発呼を強制的に切断する必要がある。
【０００３】
なお、ＩＰネットワークを介して行われる音声通話（以下、ＶｏＩＰという）における保留が特許文献１に記載されている。
【特許文献１】特開２００３−２６４６３８号公報
【発明の開示】
【発明が解決しようとする課題】
【０００４】
ところで、ＦＯＭＡ（登録商標）網による通信機能と共に、無線ＬＡＮ（以下、ＷＬＡＮと略称する）による通信機能を有する移動通信端末装置も存在する。このような移動通信端末装置においても、２重呼が発生することがある。すなわち、図４に示されているように、ユーザＡが使用する移動通信端末装置１とユーザＢが使用する移動通信端末装置５とがユーザＡ側のＳＩＰ（Session Initiation Protocol）サーバ装置２及びユーザＢ側のＳＩＰサーバ装置３を介して通信中の呼が保留中の状態を考える（ステップＳ４０１）。この保留中の呼の識別子（Call-ID）は「１」である。
【０００５】
この状態において、移動通信端末装置１から別のユーザＣの移動通信端末装置１０へ向けて接続要求信号が送出される（ステップＳ４０２）。この接続要求信号の識別子（Call-ID）は「２」である。
この場合、保留中の先発呼が存在しているので、このような状態は、先発呼が浮いている状態である。したがって、先発呼を解放する必要がある（ステップＳ４０３）。このため、２重発呼を防ぐために、先発呼である第１呼の解放処理が行われる（ステップＳ４０４）。なお、呼の解放処理は、ＳＩＰサーバ装置２が移動通信端末装置１等に接続ＮＧの旨の接続応答信号を送信し、呼の接続状態を管理しているテーブルに保持されている情報を削除する処理である。
【０００６】
その後、ＳＩＰサーバ装置２は、ユーザＣの移動通信端末装置１０へ向けて接続要求信号を送出する（ステップＳ４０５）。この接続要求信号は、ユーザＣ側のＳＩＰサーバ装置９を介して移動通信端末装置１０へ送信される（ステップＳ４０６）。この接続要求信号の識別子（Call-ID）は「２」である。
ここで、移動通信端末装置１から送出される信号の具体例について図５を参照して説明する。図５（ａ）は、図４中のステップＳ４０１における信号のパラメータの例を示す図、図５（ｂ）は図４中のステップＳ４０２における信号のパラメータの例を示す図、である。
【０００７】
図５（ａ）に示されているように、保留中の第１呼は、識別子（Call-ID）が「12345601＠atlanta.example.com」である。
これに対し、同図（ｂ）に示されているように、移動通信端末装置１からＳＩＰサーバ装置２への接続要求信号は、識別子（Call-ID）が「98765432＠atlanta.example.com」である。つまり、これは、第１呼とは異なる第２呼である。このように、識別子が異なる呼であるため、同図（ａ）の接続要求信号に対応する、先発呼について、解放処理が行われることになる。
【０００８】
以上のように、第１呼の保留中に第２呼が発信されると、ＳＩＰサーバ装置はそれを新規呼として扱うため、先発呼が解放されてしまい、通信が切断されることになる。つまり、本来切断すべきではない呼について切断されてしまうという問題がある。
本発明は上述した従来技術の問題点を解決するためになされたものであり、その目的は２重発呼のうちの先発呼を一律に解放するのではなく、保留中の呼については切断しない制御を実現できるセッション管理サーバ装置、セッション管理方法を提供することである。
【課題を解決するための手段】
【０００９】
本発明の請求項１によるセッション管理サーバ装置は、第１呼の発信後に第２呼の発信があった場合に、先発呼の解放を制御するセッション管理システムに用いるセッション管理サーバ装置であって、前記第１呼による通信中の端末装置から保留要求信号を受信した場合に、呼が保留中の状態であることを示す保留中情報を保持する呼状態保持手段と、前記端末装置から第２呼の発信があった際、前記呼状態保持手段に前記保留中情報が保持されている場合には、前記先発呼の解放を抑止する解放抑止手段とを含むことを特徴とする。このような構成を有するサーバ装置を採用すれば、２重発呼のうちの先発呼を一律に解放するのではなく、第１呼が保留中である、切断すべきではない呼については切断しないような制御を実現できる。
【００１０】
本発明の請求項２によるセッション管理方法は、第１呼の発信後に第２呼の発信があった場合に、先発呼の解放を制御するセッション管理方法であって、前記第１呼による通信中の端末装置から保留要求信号を受信した場合に、呼が保留中の状態であることを示す保留中情報を保持する呼状態保持ステップと、前記端末装置から第２呼の発信があった際、前記呼状態保持手ステップにおいて前記保留中情報が保持されている場合には、前記先発呼の解放を抑止する解放抑止ステップとを含むことを特徴とする。このような方法を採用すれば、２重発呼のうちの先発呼を一律に解放するのではなく、第１呼が保留中である、切断すべきではない呼については切断しないような制御を実現できる。
【発明の効果】
【００１１】
本発明によれば、保留中であることを示す情報を保持しておき、第２呼が発信された際、第１呼を一律に切断するのではなく、第１呼が保留中であると判定された場合には先発呼の解放を抑止している。こうすることにより、２重発呼のうちの先発呼を一律に解放するのではなく、保留中の呼については切断しない制御を実現できるという効果がある。
【発明を実施するための最良の形態】
【００１２】
以下、本発明の実施の形態を、図面を参照して説明する。なお、以下の説明において参照する各図では、他の図と同等部分は同一符号によって示されている。
（実施の形態）
図１は、本発明によるセッション管理サーバ装置であるＳＩＰサーバ装置を用いて構成したセッション管理システムの動作例を示すシーケンス図である。同図において、ユーザＢの移動通信端末装置５と通信中の移動通信端末装置１から保留操作を行うと、保留要求信号が送出される（ステップＳ１０１）。この接続要求信号を受信したＳＩＰサーバ装置２は、保留中であることを認識し、ユーザＡの移動通信端末装置１が保留中であることを示す保留中情報を自装置内のレジスタに保持する（ステップＳ１０２）。これにより、ユーザＡの移動通信端末装置１とユーザＢの移動通信端末装置５とは、呼が保留中の状態になる（ステップＳ１０３）。この保留中の呼の識別子（Call-ID）は「１」である。
【００１３】
ここで、ＳＩＰサーバ装置２内に設けられているレジスタの保持内容の例が図２に示されている。同図を参照すると、レジスタには、ユーザとその呼状態との対応が保持されている。より具体的には、各ユーザの識別子と呼状態を示す情報とが対応付けられて保持されている。本例では、ユーザＡが「保留中」、ユーザＢが「通信中」、ユーザＣが「待機中」として保持されている。呼状態が「保留中」である保留中情報が保持されているユーザの移動通信端末装置から第２呼があった場合、先発呼である第１呼の解放は行わないように制御する。
【００１４】
図１に戻り、移動通信端末装置１からユーザＣの移動通信端末装置１０へ向けて接続要求信号が送出される（ステップＳ１０４）。この接続要求信号の識別子（Call-ID）は「２」である。この接続要求信号の識別子と、上述した保留中の呼の識別子とは、図５を参照してすでに説明したように、異なる値である。このため、ＳＩＰサーバ装置２は、保留中に受信した接続要求信号を第２呼として認識することになる。
【００１５】
この接続要求信号を受信したＳＩＰサーバ装置２は、自装置内のレジスタに保持されている情報を確認する（ステップＳ１０５）。そして、本例では、「保留中」に第２呼が発信されたと判定されるので、保留中の呼とは別のユーザＣの移動通信端末装置１０への接続が許容される。つまり、第１呼の解放処理が抑止されることになる。
【００１６】
このため、ＳＩＰサーバ装置２は、移動通信端末装置１０へ向けて、接続要求信号を送出する（ステップＳ１０６）。この接続要求信号の識別子（Call-ID）は「２」である。この接続要求信号は、ＳＩＰサーバ装置９を介してユーザＣの移動通信端末装置１０に送信される（ステップＳ１０７）。その後、ユーザＡの移動通信端末装置１とユーザＣの移動通信端末装置１０とが通信中の状態になる（ステップＳ１０８）。この通信が終了した後、ユーザＡの移動通信端末装置１から保留解除要求信号が送出されると、保留状態が解除される（ステップＳ１０９）。これにより、再び、ユーザＡの移動通信端末装置１とユーザＢの移動通信端末装置５とが通信状態になる。
【００１７】
要するに、本発明においては、第２呼が発信された際、第１呼を一律に切断するのではなく、第１呼が保留中である場合には、本来行われるべき第１呼の解放処理を抑止していることになる。つまり、２重発呼のうちの先発呼を一律に解放するのではなく、切断すべきではない呼については切断しないような制御を実現できる。
【００１８】
（セッション管理サーバ装置）
上述したセッション管理サーバ装置として機能するＳＩＰサーバ装置２は、ＣＰＵ、記憶部、入出力部等を有するコンピュータを用いて実現することができる。本発明において、このＳＩＰサーバ装置２は、以下の機能を有している。すなわち、第１呼の発信後に第２呼の発信があった場合に、先発呼の解放を制御するセッション管理システムに用いるセッション管理サーバ装置であり、図３に示されているように、上記第１呼による通信中の端末装置から保留要求信号を受信した場合に、呼が保留中の状態であることを示す保留中情報を保持する呼状態保持手段と、上記端末装置から第２呼の発信があった際、上記呼状態保持手段に上記保留中情報が保持されている場合には、上記先発呼の解放を抑止する解放抑止手段とを含んで構成されている。このような構成によれば、２重発呼のうちの先発呼を一律に解放するのではなく、第１呼が保留中である、切断すべきではない呼については切断しないような制御を実現できる。
【００１９】
（セッション管理方法）
以上説明したセッション管理システムでは、以下のようなセッション管理方法が実現されている。すなわち、第１呼の発信後に第２呼の発信があった場合に、先発呼の解放を制御するセッション管理方法であり、上記第１呼による通信中の端末装置から保留要求信号を受信した場合に、呼が保留中の状態であることを示す保留中情報を保持する呼状態保持ステップ（図１中のステップＳ１０１、Ｓ１０２に対応）と、上記端末装置から第２呼の発信があった際、上記呼状態保持手ステップにおいて上記保留中情報が保持されている場合には、上記先発呼の解放を抑止する解放抑止ステップ（図１中のステップＳ１０４、Ｓ１０５に対応）とを含むセッション管理方法が実現されている。このようなセッション管理方法を採用すれば、２重発呼のうちの先発呼を一律に解放するのではなく、第１呼が保留中である、切断すべきではない呼については切断しないような制御を実現できる。
【産業上の利用可能性】
【００２０】
本発明は、２重発呼を適切に防止する場合に利用することができる。
【図面の簡単な説明】
【００２１】
【図１】本発明の実施の形態に係るセッション管理システムの動作を示すシーケンス図である。
【図２】図１中のＳＩＰサーバ装置２内に保持される、ユーザとその呼状態との対応を示す図である。
【図３】図１中のＳＩＰサーバ装置２の構成例を示すブロック図である。
【図４】２重発呼を防ぐため、先発呼の解放処理を行う場合の例を示すシーケンス図である。
【図５】図４中の接続要求信号の例を示す図である。
【符号の説明】
【００２２】
１、５、１０  移動通信端末装置
２、３、９  ＳＩＰサーバ装置
４  アプリケーションサーバ装置
【図１】
2008092115.tif 000003
【図２】
2008092115.tif 000004
【図３】
2008092115.tif 000005
【図４】
2008092115.tif 000006
【図５】
2008092115.tif 000007